(57)【要約】【課題】高圧放電ランプの始動時に高圧パルス電圧を発生するイグナイタ回路を動作させることなく適合か否かを判別できるようにすることである。【解決手段】点灯回路１１は高圧放電ランプ１５を点灯するための電力を高圧放電ランプ１５に供給し、その点灯回路１１の出力端にイグナイタ回路１６の入力端が接続され、イグナイタ回路１６は高圧放電ランプ１５の始動時に高圧パルス電圧を発生する。そのイグナイタ回路１６の入力端子間に検出用素子１７が並列的に接続され、検出用素子１７はイグナイタ回路１６の電気特性を検出し、判別回路２２は検出用素子１７で検出された検出信号に基づいて、イグナイタ回路１６と点灯回路１１との適合性を判別する。【選択図】図１
2009032660.tif 000002
【特許請求の範囲】
【請求項１】
高圧放電ランプを点灯するための電力を前記高圧放電ランプに供給する点灯回路と；
前記点灯回路の出力端に入力端が接続され、前記高圧放電ランプの始動時に高圧パルス電圧を発生するイグナイタ回路と；
前記イグナイタ回路の入力端子間に並列的に接続され、前記イグナイタ回路の電気特性を検出する検出用素子と；
前記検出用素子で検出された検出信号に基づいて前記イグナイタ回路と前記点灯回路と
の適合性を判別する判別回路と；
を具備したことを特徴とする高圧放電ランプ用点灯装置。
【請求項２】
前記点灯回路は、起動時に前記イグナイタ回路の動作可能電圧未満の検出用出力電圧を検出用素子に印加し、前記判別回路は検出用出力電圧が印加された状態で前記検出用素子で検出された検出信号に基づいて前記イグナイタ回路と前記点灯回路との適合性を判別することを特徴とする請求項１記載の高圧放電ランプ用点灯装置。
【請求項３】
前記点灯回路は、前記検出用素子で検出された検出信号に応じて、前記高圧放電ランプに供給する出力電力を最適に調整することを特徴とする請求項２記載の高圧放電ランプ用点灯装置。
【請求項４】
前記点灯装置は、高圧放電ランプがソケットに着脱されることにより状態が可変する前記検出用素子と直列に接続されたスイッチ素子を有し、
前記判別回路は、前記スイッチ素子が前記ランプがソケットに装着された状態に応じて動作することに起因して生じる前記検出用素子からの検出値に基づいて前記ランプの装着状態を検出し、装着状態が検出されると適合性を判別することを特徴とする請求項１ないし３いずれか一記載の高圧放電灯点灯装置。
【請求項５】
前記請求項１乃至４のいずれか一記載の高圧放電ランプ用点灯装置のイグナイタ回路及び検出用素子を口金に内蔵した高圧放電ランプと；
前記高圧放電ランプの口金と接続されるソケットと；
前記ソケットに電気的に接続される前記請求項１乃至５のいずれか一記載の高圧放電ランプ用点灯装置の点灯回路及び判別回路と；
を具備したことを特徴とする照明装置。
【請求項６】
前記請求項１乃至３のいずれか一記載の高圧放電ランプ用点灯装置のイグナイタ回路及び検出用素子を内蔵し、さらに請求項４記載のスイッチ素子が配設されたソケットと；
前記ソケットに電気的に接続される前記請求項１乃至３のいずれか一記載の高圧放電ラ
ンプ用点灯装置の点灯回路及び請求項４記載の判別回路と；
を具備したことを特徴とする照明装置。
【発明の詳細な説明】
【技術分野】
【０００１】
本発明は、高圧放電ランプを点灯する高圧放電ランプ用点灯装置及び照明装置に関する。
【背景技術】
【０００２】
一般に、高圧放電ランプは、グロー放電からアーク放電に転移して放電を開始する特性を有する。そのため、グロー放電を開始させるために高圧パルス電圧を印加する必要があり、また、グロー放電からアーク放電転移のためにグロー放電を開始させる電圧よりは比較的低い電圧を所定時間にわたって印加する必要がある。そして、一般的には、グロー放電を開始させるためにイグナイタ回路が用いられている。従って、高圧放電ランプを適正に点灯するにあたっては、イグナイタ回路が点灯回路に適合するものであるか否かを判別することが必要となる。
【０００３】
ここで、定格の異なる放電ランプの誤装着を防止するための放電ランプを判別するものとしては、点灯時の電気的特性を検出して放電ランプのランプ電力を検出するものがある（例えば、特許文献１参照）。
【特許文献１】特開平７−１０６０８８号公報
【発明の開示】
【発明が解決しようとする課題】
【０００４】
しかし、特許文献１のものでは、放電ランプを点灯してみなければ放電ランプの判別をすることができないものであるので、例えば、高圧放電ランプ用点灯装置は検出のために初め低い電力で点灯しなければならず、光束の立ち上がりが遅くなるなどの課題がある。
【０００５】
また、放電ランプ端子間に電気的特性を検出する検出用素子を設ける場合には、その検出用素子には、始動時の高圧パルス電圧に耐えられる性能が要求される。
【０００６】
近年、高圧放電ランプを再始動したい要望や、比較的始動電圧が高い無水銀高圧ランプの開発があり、これらには、例えば２０ｋＶ以上の高圧パルス電圧を高圧ランプに印加する必要がある。このように始動電圧が高くなると、これに耐えられる検出用素子を見つけるのが困難になる。また、高圧パルス電圧が必要な場合に、高圧放電ランプとイグナイタ回路との間の配線長によって、高圧パルス電圧が減衰してしまうという課題もある。
【０００７】
本発明の目的は、高圧放電ランプの始動時に高圧パルス電圧を発生するイグナイタ回路を動作させることなく適合か否かを判別できる高圧放電ランプ用点灯装置及び照明装置を提供することである。
【課題を解決するための手段】
【０００８】
請求項１の発明に係わる高圧放電ランプ用点灯装置は、高圧放電ランプを点灯するための電力を前記高圧放電ランプに供給する点灯回路と；前記点灯回路の出力端に入力端が接続され、前記高圧放電ランプの始動時に高圧パルス電圧を発生するイグナイタ回路と；前記イグナイタ回路の入力端子間に並列的に接続され、前記イグナイタ回路の電気特性を検出する検出用素子と；前記検出用素子で検出された検出信号に基づいて前記イグナイタ回路と前記点灯回路との適合性を判別する判別回路と；を具備したことを特徴とする。
【０００９】
本発明および以下の発明において、特に指定しない限り用語の定義および技術的意味は以下による。高圧放電ランプは、水銀ランプ、メタルハライドランプ、高圧ナトリウムランプなどを示し、また、発光管にアルミナ管を用いたセラミック放電ランプも含む。
【００１０】
点灯回路は直流電源からの直流を交流電力に変換して出力するものである。イグナイタ回路は高圧放電ランプの始動時に高圧パルス電圧を発生する回路であり、例えば、数ｋＶ〜数十ｋＶの電圧を発生し高圧放電ランプにグロー放電を起こさせるものである。イグナイタ回路の電気特性とは、例えば、高圧放電ランプが点灯した状態で高圧放電ランプに供給可能な電流値がいくらであるかを示す電気特性である。
【００１１】
イグナイタ回路と点灯回路との適合性とは、例えば、高圧放電ランプが定格電力で点灯した状態でイグナイタ回路が高圧放電ランプに供給可能な電流値と、点灯回路が高圧放電ランプに供給可能な電流値とが一致することをいう。検出用素子は、点灯回路からの直流電圧が印加されたときに流れる電流に基づく分圧電圧を電気特性として検出する素子であり、例えば、抵抗またはコンデンサである。
【００１２】
また、検出用素子としては、抵抗値を選択することが好適である。これは、検出用素子は、点灯回路からの直流電圧が印加されたときに流れる電流に基づく分圧電圧を電気特性として検出する素子であるので、過渡的な電流しか流さないコンデンサよりも抵抗器の方が適しているためである。
【００１３】
請求項２の発明に係わる高圧放電ランプ用点灯装置は、請求項１の発明において、前記点灯回路は、起動時に前記イグナイタ回路の動作可能電圧未満の検出用出力電圧を検出用素子に印加し、前記判別回路は検出用出力電圧が印加された状態で前記検出用素子で検出された検出信号に基づいて前記イグナイタ回路と前記点灯回路との適合性を判別することを特徴とする。
【００１４】
イグナイタ回路の動作可能電圧未満の検出用出力電圧とは、イグナイタ回路が高圧パルス電圧を発生しない範囲の電圧をいう。検出用素子で検出された検出信号とは、点灯回路からの電圧が印加されたときに流れる電流に基づく分圧電圧である。
【００１５】
請求項３の発明に係わる高圧放電ランプ用点灯装置は、請求項２の発明において、前記点灯回路は、前記検出用素子で検出された検出信号に応じて、前記高圧放電ランプに供給する出力電力を最適に調整することを特徴とする。
【００１６】
「高圧放電ランプに供給する出力電力を最適に調整する」とは、点灯回路及びイグナイタ回路が高圧放電ランプに供給可能な電流値の範囲内で検出結果に応じ、高圧放電ランプに点灯用の電力を制御して供給することをいう。
【００１７】
請求項４の発明に係わる高圧放電ランプ用点灯装置は、請求項１ないし３いずれか一記載の発明において、前記点灯装置は、高圧放電ランプがソケットに着脱されることにより状態が可変する前記検出用素子と直列に接続されたスイッチ素子を有し、前記判別回路は、前記スイッチ素子が前記ランプがソケットに装着された状態に応じて動作することに起因して生じる前記検出用素子からの検出値に基づいて前記ランプの装着状態を検出し、装着状態が検出されると適合性を判別することを特徴とする。
【００１８】
本発明は、判別回路の動作よりも高圧放電ランプの装着状態の検出を優先させるものであり、このように構成することによって、高圧放電ランプが未装着状態においては、少なくともイグナイタ回路を動作させることがない。そして、検出用素子を高圧放電ランプの装着を検出するためにも用いることができるため、新たな部材を追加することなく高圧放電ランプの装着検出機能を追加することができる。さらに、イグナイタ回路の入力端子間に並列的に接続された検出用素子にスイッチ素子を接続する構成であるため、高圧放電ランプの装着を検出するための特別な配線を用いることない。
【００１９】
請求項５の発明に係わる照明装置は、前記請求項１乃至４のいずれか一記載の高圧放電ランプ用点灯装置のイグナイタ回路及び検出用素子を口金に内蔵した高圧放電ランプと；前記高圧放電ランプの口金と接続されるソケットと；前記ソケットに電気的に接続される前記請求項１乃至５のいずれか一記載の高圧放電ランプ用点灯装置の点灯回路及び判別回路と；を具備したことを特徴とする。
【００２０】
本発明は、イグナイタ回路を口金に内蔵し、イグナイタ回路が発生する高圧パルス電圧をイグナイタ回路と口金との間に印加しなくてもよい照明装置を提供するものである。
【００２１】
請求項６の発明に係わる照明装置は、前記請求項１乃至３のいずれか一記載の高圧放電ランプ用点灯装置のイグナイタ回路及び検出用素子を内蔵し、さらに請求項４記載のスイッチ素子が配設されたソケットと；  前記ソケットに電気的に接続される前記請求項１乃至３のいずれか一記載の高圧放電ランプ用点灯装置の点灯回路及び請求項４記載の判別回路と；を具備したことを特徴とする。
【００２２】
本発明は、ソケットと点灯回路との間を接続する配線において、特別な配線を設けなくとも高圧放電ランプの装着を検出することができ、かつ、高圧放電ランプが装着していない状態では適合するイグナイタ回路であっても動作することがない。
【発明の効果】
【００２３】
請求項１の発明によれば、点灯回路の誤使用によるイグナイタ回路や高圧放電ランプの破壊を防止できる。
【００２４】
請求項２の発明によれば、イグナイタ回路の動作可能電圧未満の検出用出力電圧を印加するので、不要な高圧パルス電圧の発生を防止することができ、高圧放電ランプを点灯させることなくイグナイタ回路の判別をすることができる。
【００２５】
請求項３の発明によれば、点灯回路及びイグナイタ回路が検出結果に応じて高圧放電ランプに適正な電流値の範囲内の点灯用の電力を供給するので、複数の定格電力の高圧放電ランプに対応することができる。
【００２６】
また、請求項４の発明によれば、高圧放電ランプがソケットに装着されている状態で初めてイグナイタ回路の動作を可能とするため、前記ランプを装着する際の安全性を確保することができる。
【００２７】
また、請求項５の発明によれば、イグナイタ回路が発生する高圧パルス電圧をイグナイタ回路と口金との間に印加しなくてもよいので、従来の口金を使用しながら高圧放電ランプを始動または再始動できる。
また、請求項６の発明によれば、ソケットと点灯回路との間を接続する配線において、特別な配線を設けなくとも高圧放電ランプの装着を検出することができ、かつ、高圧放電ランプが装着していない状態では適合するイグナイタ回路であっても動作することがない。
【発明を実施するための最良の形態】
【００２８】
図１は本発明の第一実施の形態に係わる高圧放電ランプ用点灯装置の構成図である。点灯装置の点灯回路１１には商用電源１２から電力が供給される。商用電源１２の交流電力は点灯回路１１の直流電源部１３で直流電力に変換されインバータ回路１４に入力される。インバータ回路１４は直流電力を高圧放電ランプ１５に供給する交流電力に変換するものであり、イグナイタ回路１６を介して高圧放電ランプ１５に交流電力が供給される。
【００２９】
イグナイタ回路１６は、高圧放電ランプ１５の始動時に高圧パルス電圧を発生する回路であり、例えば、数ｋＶ〜数十ｋＶの電圧を発生し高圧放電ランプ１５にグロー放電を起こさせるものである。すなわち、イグナイタ回路１６は、点灯回路１１のインバータ回路１４からの入力電圧を整流回路１８で整流して、得られたこの直流電圧がスイッチ素子（ギャップ)１９のオン電圧を超えるとトランス２０の一次巻線に印加され、トランス２０の二次巻線に高圧パルス電圧を出力する。また、イグナイタ回路１６の入力端子間には、イグナイタ回路１６の電気特性を検出する検出用素子１７としての抵抗器が並列的に接続されている。
【００３０】
インバータ回路１４は、例えば、ＦＥＴ等の４個のスイッチング素子Ｑ１〜Ｑ４を有しており、これら４個のスイッチング素子Ｑ１〜Ｑ４は制御部２１でスイッチング制御される。また、点灯回路１１には、イグナイタ回路１６の検出用素子１７で検出された検出信号に基づいてイグナイタ回路１６と点灯回路１１との適合性を判別する判別回路２２が設けられている。
【００３１】
次に、高圧放電ランプ１５の始動時におけるイグナイタ回路１６と点灯回路１１との適合性の判別の動作について説明する。商用電源１２が投入され点灯回路１１が起動されると、高圧放電ランプ１５の点灯動作に先立ちイグナイタ回路１６と点灯回路１１との適合性の判別を行う。
【００３２】
まず、点灯回路１１のインバータ回路１４のスイッチング素子Ｑ１をオンにして、他のスイッチング素子Ｑ２、Ｑ３、Ｑ４はオフさせる。このとき、制御部２１は、点灯回路１１の出力電圧がイグナイタ回路１６の動作可能電圧未満となるように、直流電源部１３の出力電圧を制御する。つまり、イグナイタ回路１６では、整流回路１８の直流電圧がスイッチ素子（ギャップ)１９のオン電圧を超えると高圧パルス電圧が出力されるので、このスイッチ素子１９がオンする電圧未満の電圧となるように、制御部２１は直流電源部１３の出力電圧を制御する。なお、高圧放電ランプ１５が一旦点灯した後において、高圧放電ランプ１５の点灯中の電圧では、一般に、このスイッチ素子１９はオンしないような値に選択されている。
【００３３】
イグナイタ回路１６のスイッチ素子１９がオンする電圧未満の電圧が印加されている状態で、点灯回路１１の判別回路２２では、点灯回路１１の出力の一端（スイッチング素子Ｑ１とは異なる部分）に発生する電圧値を検出する。すなわち、直流電源部１３の出力電圧はスイッチング素子Ｑ１−検出用素子１７−判別回路２２の直列回路に印加されるので、判別回路２２により直列回路の分圧電圧を計測することにより検出用素子１７の分圧電圧の値を判別することが可能である。
【００３４】
判別回路２２では、検出用素子１７の分圧電圧値が所定値を満たすか否かでイグナイタ回路１６と点灯回路１１との適合性を満たすか否かを判別する。例えば、イグナイタ回路１６が高圧放電ランプ１５に供給可能な電流値と、点灯回路１１が高圧放電ランプ１５に供給可能な電流値とが一致するか否かで判別される。その電流値に対応する検出用素子１７の電圧値が所定値として判別回路２２に予め設定されている。
【００３５】
図２は判別回路２２での判別基準の説明図である。いま、点灯回路１１は１００Ｗの高圧放電ランプ及び７０Ｗの高圧放電ランプに対して、それらの双方に点灯電力を供給できる能力があるとする。そして、例えば、検出用素子１７の電圧値が１Ｖ〜１．５Ｖの範囲であるときは、１００Ｗの高圧放電ランプ１５を点灯するためのイグナイタ回路１６であると判別し、検出用素子１７の電圧値が１．５Ｖ〜２Ｖの範囲であるときは、７０Ｗの高圧放電ランプ１５を点灯するためのイグナイタ回路１６であると判別するものであるとする。
【００３６】
この場合、検出用素子１７の電圧値が２Ｖを超えるとき、あるいは１Ｖ未満であるときは、点灯回路１１は不適合のイグナイタ回路１６が接続されていると判断する。一方、検出用素子１７の電圧値が１Ｖ〜１．５Ｖの範囲であるとき、及び１．５Ｖ〜２Ｖの範囲であるときは、適合したイグナイタ回路１６が接続されていると判断する。
【００３７】
判別回路２２で判別されたイグナイタ回路１６と点灯回路１１との適合性の判別結果は制御部２１に入力され、検出用素子１７で検出された検出値が適正な値である場合には、点灯回路１１の制御部２１は高圧放電ランプ１５を始動する動作へ移行する。すなわち、検出用素子１７の電圧値が１Ｖ〜１．５Ｖの範囲であるときは、１００Ｗの高圧放電ランプ１５を始動するように動作開始し、検出用素子１７の電圧値が１．５Ｖ〜２Ｖの範囲であるときは、７０Ｗの高圧放電ランプ１５を始動するように動作開始する。このように、点灯回路１１は、検出用素子１７で検出された検出信号に応じて、高圧放電ランプ１５に供給する出力電力を最適に調整する。従って、定格電力の異なる複数の高圧放電ランプに対応できる。
【００３８】
図３は点灯回路１１の起動から高圧放電ランプ１５の点灯までの点灯回路１１及び判別回路２２の出力波形図である。図３の上側は判別回路２２の検出電圧、図３の下側は点灯回路１１の出力（イグナイタ回路１６の入力)波形を示している。時点ｔ０において、点灯回路１１を商用電源１２に接続し、点灯回路１１の出力電圧としてイグナイタ回路１６の動作可能電圧未満となる電圧を出力開始する。時点１〜時点ｔ２において、イグナイタ回路１６の動作可能電圧未満となる電圧を継続して出力する。この期間がイグナイタ回路１６と点灯回路１１との適合性の判別期間となる。そして、検出用素子１７で検出された検出値が適正な値である場合には、制御部２１は時点ｔ２において高圧放電ランプ１５を始動する動作へ移行する。
【００３９】
高圧放電ランプ１５の始動開始にあたって、点灯回路１１はイグナイタ回路１６の動作可能電圧を出力する。これにより、イグナイタ回路１６が動作し高圧パルス電圧が高圧放電灯に印加されグロー放電が発生する。そして、グロー放電からアーク放電転移のために時点ｔ２〜時点ｔ３にわたってグロー放電を開始させる電圧よりは比較的低い電圧が継続して印加され、時点ｔ３で高圧放電ランプ１５の点灯となる。
【００４０】
このように、高圧放電ランプ１５の始動時には、直流電源部１３の出力電圧をイグナイタ回路１６が動作可能な電圧でかつ高圧放電ランプ１５がアーク転移可能な電圧以上に上昇させ、スイッチング素子Ｑ１〜Ｑ４までをスイッチング動作させる。高圧放電ランプ１５を点灯させるには、グロー放電を発生させる比較的高い電圧と、グロー放電からアーク放電へ移行させる比較的低い電圧の両方が必要であるが、アーク放電へ移行させる電圧は３００V〜５００V程度が一般的である。
【００４１】
スイッチング素子Ｑ１〜Ｑ４のスイッチング方法は、スイッチング素子Ｑ２、Ｑ３がオフ、スイッチング素子Ｑ１が高周波でオンオフ、スイッチング素子Ｑ４がオンする期間と、スイッチング素子Ｑ１、Ｑ４がオフ、スイッチング素子Ｑ２が高周波でオンオフ、スイッチング素子Ｑ３がオンする期間を、高圧放電ランプ１５の点灯周期で交互に繰り返す。高圧放電ランプ１５の点灯後の電力制御は、高周波でオンオフするスイッチング素子Ｑ１、Ｑ２のオンデューティにより行う。
【００４２】
このように、点灯回路１１は、検出用素子１７の検出値が所定の範囲にあるときにのみ、出力電圧をイグナイタ回路１６が動作可能な電圧でかつ高圧放電ランプ１５がアーク転移可能な電圧まで上昇させるように制御し、高圧放電ランプ１５を点灯する。
【００４３】
以上の説明では、イグナイタ回路１６の検出用素子１７は、抵抗器である場合について説明したが、点灯回路１１からの直流電圧が印加されたときに流れる電流に基づく分圧電圧を電気特性として検出できる素子であれば、抵抗器でなくとも、例えばコンデンサであってもよい。コンデンサの場合には、直流電圧が印加されることからコンデンサに充電されるまでの過渡的な範囲において分圧電圧を検出することになる。従って、検出用素子１７は抵抗器の方が望ましい。
図４は高圧放電ランプ１５の口金２３にイグナイタ回路１６を内蔵し、高圧放電ランプ１５とイグナイタ回路１６とを一体的な構造とした照明装置の構成図である。高圧放電ランプ１５の口金２３にイグナイタ回路１６を内蔵し、本発明の実施の形態の点灯回路１１とイグナイタ回路１６との間の接続部に、高圧放電ランプ１５の口金２３と接続されるソケット２４を設ける。
【００４４】
これにより、高圧放電ランプ１５の口金２３にイグナイタ回路１６を内蔵したので、その間の配線長は短くなる。また、イグナイタ回路１６が発生する高圧パルス電圧をイグナイタ回路１６と口金２３との間に印加しなくてもよいので、口金２３に印加可能な上限電圧の制約を受けることなく、高圧パルス電圧を高圧放電ランプ１５に印加可能となる。従って、従来の口金を使用しながら高圧放電ランプを始動または再始動できる。
【００４５】
次に第二の実施形態について説明する。本実施例は、構成上、第一実施形態と比較して、検出用素子１７と直列に、かつ、ソケット２４にスイッチ素子を接続すること、及び、イグナイタ回路１６は２３ではなく、照明装置のソケット２４に設けることが相違するが、その他は同一構造であるため、図示は省略するとともに、同一符号についてはその説明は省略する。そして、スイッチ素子は、高圧放電ランプ１５がソケット２４に装着されると閉成し、ソケット２４から外されると開成する状態となるように設けられているものである。
【００４６】
本実施形態においては、判別回路２２で高圧放電ランプの装着を検出するようになっている。つまり、第一実施形態に加え、イグナイタ回路１６の検出用回路１７の値に基づいてランプの装着の有無も判別回路２２が判別できるようになっている。この点について詳述すると、商用電源１２が投入され点灯回路１１が起動されると、点灯回路１１のインバータ回路１４のスイッチング素子Ｑ１をオンにして、他のスイッチング素子Ｑ２、Ｑ３、Ｑ４はオフさせる。このとき、制御部２１は、点灯回路１１の出力電圧がイグナイタ回路１６の動作可能電圧未満となるように、直流電源部１３の出力電圧を制御する。そしてこの状態で、点灯回路１１の判別回路２２では、イグナイタ回路１６の判別に先立って点灯回路１１の出力の一端（スイッチング素子Ｑ１とは異なる部分）に電圧値が発生するかどうかを検出する。
【００４７】
すなわち、ソケット２４に高圧放電ランプ１５が装着されると、スイッチ素子が閉成することによって、直流電源部１３の出力電圧はスイッチング素子Ｑ１−検出用素子１７−スイッチ素子−判別回路２２の直列回路に印加されるので、判別回路２２により直列回路の分圧電圧を計測することにより検出用素子１７に電圧が発生したか否かを判別することが可能である。そして、判別回路２２では、検出用素子１７の分圧電圧値がまずは高圧放電ランプ１５が装着された状態を示す閾値となったか否かでランプが装着されているかいないかを判別する。これにより、高圧放電ランプ１５がソケット２４に装着されている状態と判別回路２２で判別されると、後は第一実施形態と同様にイグナイタ回路１６の判別を実施するようになっている。
【００４８】
本実施形態によれば、第一実施形態の作用に加えて、高圧放電ランプ１５が装着されている状態とならないと仮に適合するイグナイタ回路１６であっても動作しないようになっているため、ソケット２４と一体にイグナイタ回路１６を設ける構成としても高圧放電ランプ１５の装着時にイグナイタ回路１６が動作している状態をつくり出すことがない。また、検出用素子１７を高圧放電ランプ１５の装着を検出するためにも用いているため、新たな部材を追加することなく高圧放電ランプ１５の装着検出機能を追加することができる。さらに、イグナイタ回路１６の入力端子間に並列的に接続された検出用素子１７に図示しないスイッチ素子を接続する構成であるため、高圧放電ランプ１５の装着を検出するために点灯回路１１とソケット２４とを接続する特別な配線を用いる必要がない。
【図面の簡単な説明】
【００４９】
【図１】本発明の実施の形態に係わる高圧放電ランプ用点灯装置の構成図。
【図２】本発明の実施の形態における点灯回路の判別回路での判別基準の説明図。
【図３】本発明の実施の形態における点灯回路の起動から高圧放電ランプの点灯までの点灯回路及び判別回路の出力波形図。
【図４】本発明の実施の形態に係わる高圧放電ランプとイグナイタ回路とを一体的な構造とした照明装置の構成図。
【符号の説明】
【００５０】
１１…点灯回路、１２…商用電源、１３…直流電源部、１４…インバータ回路、１５…高
圧放電ランプ、１６…イグナイタ回路、１７…検出用素子、１８…整流回路、１９…スイ
ッチ素子、２０…トランス、２１…制御部、２２…判別回路、２３…口金、２４…ソケッ
ト
【図１】
2009032660.tif 000003
【図２】
2009032660.tif 000004
【図３】
2009032660.tif 000005
【図４】
2009032660.tif 000006